【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
自端末に割当てられた識別情報を記憶する第１の記憶手段と、
乱数を発生させる乱数発生手段と、
前記識別情報と、前記乱数発生手段によって発生された乱数を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器に移動させるコンテンツ移動手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている識別情報とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項２】
自端末に割当てられた通信に利用する識別情報を記憶する第１の記憶手段と、
乱数を発生させる乱数発生手段と、
前記識別情報と、前記乱数発生手段によって発生された乱数を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器に移動させるコンテンツ移動手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている識別情報とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項３】
自端末に割当てられた電話番号を記憶する第１の記憶手段と、
乱数を発生させる乱数発生手段と、
前記電話番号と、前記乱数発生手段によって発生された乱数を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器に移動させるコンテンツ移動手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている電話番号とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項４】
自端末に割当てられた識別情報を記憶する第１の記憶手段と、
前記識別情報と、コンテンツに対応付けられこのコンテンツを取得した時刻を示す時刻情報を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器にコピーするコンテンツバックアップ手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている識別情報とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項５】
自端末に割当てられた通信に利用する識別情報を記憶する第１の記憶手段と、
前記識別情報と、コンテンツに対応付けられこのコンテンツを取得した時刻を示す時刻情報を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器にコピーするコンテンツバックアップ手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている識別情報とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項６】
自端末に割当てられた電話番号を記憶する第１の記憶手段と、
前記電話番号と、コンテンツに対応付けられこのコンテンツを取得した時刻を示す時刻情報を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器にコピーするコンテンツバックアップ手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている電話番号とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項７】
自端末に割当てられた識別情報を記憶する第１の記憶手段と、
乱数を発生させる乱数発生手段と、
前記識別情報と、前記乱数発生手段によって発生された乱数を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器にコピーさせるコンテンツバックアップ手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている識別情報とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項８】
自端末に割当てられた通信に利用する識別情報を記憶する第１の記憶手段と、
乱数を発生させる乱数発生手段と、
前記識別情報と、前記乱数発生手段によって発生された乱数を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器にコピーさせるコンテンツバックアップ手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている識別情報とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項９】
自端末に割当てられた電話番号を記憶する第１の記憶手段と、
乱数を発生させる乱数発生手段と、
前記電話番号と、前記乱数発生手段によって発生された乱数を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器にコピーさせるコンテンツバックアップ手段とを有し、
前記送受信手段を介して外部機器から鍵生成情報を含む鍵生成要求を受信すると、前記鍵生成手段は、この要求に含まれる前記鍵生成情報と前記第１の記憶手段に記憶されている電話番号とを用いて暗号化鍵を生成し、前記送受信手段は、前記鍵生成手段によって生成された暗号化鍵を、前記鍵生成要求を送信した外部機器に対して送信することを特徴とする情報端末装置。
【請求項１０】
自端末に割当てられた電話番号を記憶する第１の記憶手段と、
前記電話番号と、コンテンツに対応付けられこのコンテンツを取得した時刻を示す時刻情報を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器に移動させるコンテンツ移動手段と
を備えたことを特徴とする情報端末装置。
【請求項１１】
自端末に割当てられた電話番号を記憶する第１の記憶手段と、
乱数を発生させる乱数発生手段と、
前記電話番号と、前記乱数発生手段によって発生された乱数を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器に移動させるコンテンツ移動手段と
を備えたことを特徴とする情報端末装置。
【請求項１２】
自端末に割当てられた電話番号を記憶する第１の記憶手段と、
前記電話番号と、コンテンツに対応付けられこのコンテンツを取得した時刻を示す時刻情報を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器にコピーするコンテンツバックアップ手段と
を備えたことを特徴とする情報端末装置。
【請求項１３】
自端末に割当てられた電話番号を記憶する第１の記憶手段と、
乱数を発生させる乱数発生手段と、
前記電話番号と、前記乱数発生手段によって発生された乱数を含む鍵生成情報とを用いて暗号化鍵を生成する鍵生成手段と、
コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、
外部機器との間でデータの送受信を行う送受信手段と、
前記第２の記憶手段に記憶されている暗号化コンテンツと暗号化コンテンツ鍵、及び前記鍵生成情報とを対応付けて外部機器にコピーさせるコンテンツバックアップ手段と
を備えたことを特徴とする情報端末装置。
【請求項１４】
認証手段を更に備え、この認証手段は、前記送受信手段が前記外部機器から受信した鍵生成要求に基づいて生成された前記暗号化鍵を前記外部機器へ送信する前に、この外部機器との間で認証処理を実行することを特徴とする請求項１から請求項９のいずれか１つに記載の情報端末装置。
【手続補正２】
【補正対象書類名】明細書
【補正対象項目名】００１１
【補正方法】変更
【補正の内容】
【００１１】
上記目的を達成するために、この発明に係わる情報端末装置では、自端末に割当てられた電話番号などの識別情報を記憶する第１の記憶手段と、乱数を発生させる乱数発生手段と、前記識別情報と、前記乱数発生手段によって発生された乱数を含む鍵生成情報とを用いて暗号化鍵を生成する鍵生成手段と、コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、外部機器との間でデータの送受信を行う送受信手段と、前記第２の記憶手段に記憶されている暗号化コンテンツと、暗号化コンテンツ鍵と、前記鍵生成情報とを対応付けて外部機器に移動（又はコピー））させるコンテンツ移動手段（又はコンテンツバックアップ手段）とを有し、前記送受信手段を介して外部機器から鍵生成情報を含む鍵生成要求を受信すると、前記鍵生成手段は、この要求に含まれる前記鍵生成情報と前記第１の記憶手段に記憶されている識別情報とを用いて暗号化鍵を生成し、前記送受信手段は、前記鍵生成手段によって生成された暗号化鍵を、前記鍵生成要求を送信した外部機器に対して送信することを特徴とする。
また、他の発明に係わる情報端末装置では、自端末に割当てられた電話番号などの識別情報を記憶する第１の記憶手段と、前記識別情報と、コンテンツに対応付けられこのコンテンツを取得した時刻を示す時刻情報を含む鍵生成情報とを用いて暗号化鍵を生成する鍵生成手段と、コンテンツを暗号化するためのコンテンツ鍵によって暗号化された暗号化コンテンツと、前記鍵生成手段によって生成された暗号化鍵によって暗号化された暗号化コンテンツ鍵と、前記暗号化鍵の生成に用いられた前記鍵生成情報とを対応付けて記憶する第２の記憶手段と、外部機器との間でデータの送受信を行う送受信手段と、前記第２の記憶手段に記憶されている暗号化コンテンツと、暗号化コンテンツ鍵と、前記鍵生成情報とを対応付けて外部機器にコピーするコンテンツバックアップ手段とを有し、前記送受信手段を介して外部機器から鍵生成情報を含む鍵生成要求を受信すると、前記鍵生成手段は、この要求に含まれる前記鍵生成情報と前記第１の記憶手段に記憶されている識別情報とを用いて暗号化鍵を生成し、前記送受信手段は、前記鍵生成手段によって生成された暗号化鍵を、前記鍵生成要求を送信した外部機器に対して送信することを特徴とする。